(57)【要約】【課題】複数の物品に付された無線タグの固有ＩＤを一括読み取りした際に、読み取り漏れが発生した無線タグが付された物品を容易に発見し、確実に物品の管理情報と無線タグの固有ＩＤとを関連付けるための無線タグを用いた情報管理方法を提供する。【解決手段】例えば、整理番号が昇順に付された複数の書類Ｄｉに、連続する固有ＩＤを有する無線タグ１４を番号順に取り付け、その固有ＩＤを一括読み取りする。書類Ｄｉの数と読み取られた固有ＩＤの数とが一致せず、かつ、読み取られた固有ＩＤに不連続部が存在する場合に、この不連続部の書類に付された無線タグのみの固有ＩＤを読み取る。この読み取り結果が一括読み取りでの固有ＩＤの不連続を解消する場合に、複数の書類Ｄｉの整理番号に、順次、連続する固有ＩＤを１対１で関連付ける。【選択図】図３
2007217169.tif 000002
【特許請求の範囲】
【請求項１】
所定の整理番号が昇順または降順に付された複数の物品に、連続する固有ＩＤを有する無線タグを、これらの番号順に取り付け、これら複数の物品に付された複数の無線タグの固有ＩＤを一括して読み取る工程と、
前記複数の物品の数と読み取られた固有ＩＤの数とが一致せず、かつ、読み取られた固有ＩＤに不連続部が存在する場合に、この不連続部の物品に付された無線タグのみの固有ＩＤを読み取る工程と、
この読み取り結果が前記固有ＩＤの不連続を解消する場合に、前記複数の物品の整理番号に、順次、連続する固有ＩＤを１対１で関連付けることを特徴とする無線タグを用いた情報管理方法。
【請求項２】
所定の整理番号が昇順または降順に付された複数の物品に、連続する固有ＩＤを有する無線タグを、これらの番号順に取り付け、これら複数の物品に付された複数の無線タグの固有ＩＤを一括して読み取る工程と、
前記複数の物品の数と読み取られた固有ＩＤの数とが一致せず、かつ、読み取られた固有ＩＤに不連続部が存在する場合に、この不連続部の物品に付された無線タグのみの固有ＩＤを読み取る工程と、
前記不連続部の物品に付された無線タグの固有ＩＤを読み取ることができない場合に、当該物品を除く他の物品の整理番号に前記一括読み取りにより得られた固有ＩＤを順次１対１で関連付け、当該物品には新たな無線タグを取り付けてその固有ＩＤと当該物品の整理番号とを関連付けることを特徴とする無線タグを用いた情報管理方法。
【請求項３】
所定の整理番号が昇順または降順に付された複数の物品に、連続する固有ＩＤを有する無線タグを、これらの番号順に取り付け、これら複数の物品に付された複数の無線タグの固有ＩＤを一括して読み取る工程と、
前記複数の物品の数と読み取られた固有ＩＤの数とが一致せず、かつ、読み取られた固有ＩＤが連続している場合に、前記複数の物品のうち最前の整理番号の物品に付された無線タグのみの固有ＩＤを読み取る工程と、
前記最前の整理番号の物品に付された無線タグの固有ＩＤが先の一括読み取りで得られた固有ＩＤと一致する場合に、前記複数の物品のうち最後の整理番号の物品に付された無線タグのみの固有ＩＤを読み取る工程と、
前記最後の整理番号の物品に付された無線タグの固有ＩＤが先の一括読み取りで得られた最後の固有ＩＤの次の番号である場合に、こうして得られる連続した固有ＩＤを前記複数の物品の整理番号に順次１対１で関連付けることを特徴とする無線タグを用いた情報管理方法。
【請求項４】
所定の整理番号が昇順または降順に付された複数の物品に、連続する固有ＩＤを有する無線タグを、これらの番号順に取り付け、これら複数の物品に付された複数の無線タグの固有ＩＤを一括して読み取る工程と、
前記複数の物品の数と読み取られた固有ＩＤの数とが一致せず、かつ、読み取られた固有ＩＤが連続している場合に、前記複数の物品のうち最前の整理番号の物品に付された無線タグのみの固有ＩＤを読み取る工程と、
前記最前の整理番号の物品に付された無線タグの固有ＩＤが先の一括読み取りで得られた固有ＩＤの最初の番号の前の番号である場合に、こうして得られる連続した固有ＩＤを前記複数の物品の整理番号に順次１対１で関連付けることを特徴とする無線タグを用いた情報管理方法。
【発明の詳細な説明】
【技術分野】
【０００１】
本発明は、無線タグの固有ＩＤ番号と管理対象物の管理情報とを関連付けるための無線タグを用いた情報管理方法に関する。
【背景技術】
【０００２】
近年、固有のＩＤ番号が設定されるとともに、情報の記録および書き換えが可能なメモリエリアを有し、無線を利用して非接触でＩＤの読み出しや任意の情報の書き込み及び読み出しができる無線タグが、物品の流通管理等に利用されている。
【０００３】
従来の無線タグを用いた物品管理方法の一例として、ファイルバインダ（パイプファイルやリングファイル等の書類を綴じるもの）に綴じられた複数の書類（文書ファイル）のそれぞれに無線タグを取り付ける場合の作業フローを図５に示す。ここで、各書類の表紙には整理番号が付されており、その整理番号はコンピュータのデータベースに登録されているとする。そのデータベースには、各整理番号に対応する管理情報も記憶されている。
【０００４】
作業者は、最初にファイルバインダ９０を開いて全ての書類９１を取り出す。無線タグ９２はパッケージシート９３に貼り付けられているので、作業者は、書類９１の表紙を見つけ出して、各表紙に無線タグ９２を貼り付けていく。作業者は、データベースにアクセスできるパーソナルコンピュータ９４で、書類９１の整理番号と無線タグ９２の固有管理番号とを関連付けするためのアプリケーションソフトを起動させる。これにより、例えば、このパーソナルコンピュータ９４のディスプレイに整理番号の一覧が表示される。作業者は処理しようとしている書類９１の整理番号を選択し、無線タグ９２が貼り付けられた書類９１をＩＤリーダ９５に載置する。ＩＤリーダ９５がその固有ＩＤが読み取ると、書類９１の整理番号とその書類に貼り付けられた無線タグ９２のＩＤ番号との関連付けが行われ、データとして保存される。作業者はこのような作業を全ての書類９１について繰り返し、作業が終了したら書類をファイルバインダ９０に綴じる。その後、例えば、ファイルバインダ９０は流通過程に乗せられる。
【０００５】
このような方法では、各物品に取り付けられた無線タグの固有ＩＤと、各物品の管理情報とを正確に関連付けすることができるが、例えば量産される工業製品のように、処理対象となる物品の数が多くなると、作業時間が極めて長くなるという問題がある。
【０００６】
このような問題を解決する方法として、複数の物品にそれぞれ取り付けられた無線タグの固有ＩＤを一括して読み取る方法がある。しかし、この方法では、一部の無線タグの固有ＩＤが読み取られずに、物品数と固有ＩＤ数とが合致しない不整合が生じることがあり、その場合には、読み取られていない固有ＩＤが付された物品を確定するために、再び個別判定を行う必要が生じる等して長い時間が必要になる。
【発明の開示】
【発明が解決しようとする課題】
【０００７】
本発明はかかる事情に鑑みてなされたものであり、複数の物品に取り付けられた無線タグの固有ＩＤを一括読み取りする場合に、読み取り漏れが発生した無線タグが付された物品を容易に発見し、確実に物品の管理情報と無線タグの固有ＩＤとを関連付けることができる無線タグを用いた情報管理方法を提供する。
【課題を解決するための手段】
【０００８】
本発明の請求項１によれば、所定の整理番号が昇順または降順に付された複数の物品に，連続する固有ＩＤを有する無線タグを，これらの番号順に取り付け，これら複数の物品に付された複数の無線タグの固有ＩＤを一括して読み取る工程と、前記複数の物品の数と読み取られた固有ＩＤの数とが一致せず，かつ，読み取られた固有ＩＤに不連続部が存在する場合に，この不連続部の物品に付された無線タグのみの固有ＩＤを読み取る工程と、この読み取り結果が前記固有ＩＤの不連続を解消する場合に，前記複数の物品の整理番号に，順次，連続する固有ＩＤを１対１で関連付けることを特徴とする無線タグを用いた情報管理方法が提供される。
【０００９】
本発明の請求項２によれば、所定の整理番号が昇順または降順に付された複数の物品に，連続する固有ＩＤを有する無線タグを，これらの番号順に取り付け，これら複数の物品に付された複数の無線タグの固有ＩＤを一括して読み取る工程と、前記複数の物品の数と読み取られた固有ＩＤの数とが一致せず，かつ，読み取られた固有ＩＤに不連続部が存在する場合に，この不連続部の物品に付された無線タグのみの固有ＩＤを読み取る工程と、前記不連続部の物品に付された無線タグの固有ＩＤを読み取ることができない場合に，当該物品を除く他の物品の整理番号に前記一括読み取りにより得られた固有ＩＤを順次１対１で関連付け，当該物品には新たな無線タグを取り付けてその固有ＩＤと当該物品の整理番号とを関連付けることを特徴とする無線タグを用いた情報管理方法が提供される。
【００１０】
本発明の請求項３によれば、所定の整理番号が昇順または降順に付された複数の物品に，連続する固有ＩＤを有する無線タグを，これらの番号順に取り付け，これら複数の物品に付された複数の無線タグの固有ＩＤを一括して読み取る工程と、前記複数の物品の数と読み取られた固有ＩＤの数とが一致せず，かつ，読み取られた固有ＩＤが連続している場合に，前記複数の物品のうち最前の整理番号の物品に付された無線タグのみの固有ＩＤを読み取る工程と、前記最前の整理番号の物品に付された無線タグの固有ＩＤが先の一括読み取りで得られた固有ＩＤと一致する場合に，前記複数の物品のうち最後の整理番号の物品に付された無線タグのみの固有ＩＤを読み取る工程と、前記最後の整理番号の物品に付された無線タグの固有ＩＤが先の一括読み取りで得られた最後の固有ＩＤの次の番号である場合に，こうして得られる連続した固有ＩＤを前記複数の物品の整理番号に順次１対１で関連付けることを特徴とする無線タグを用いた情報管理方法が提供される。
【００１１】
本発明の請求項４によれば、所定の整理番号が昇順または降順に付された複数の物品に，連続する固有ＩＤを有する無線タグを，これらの番号順に取り付け，これら複数の物品に付された複数の無線タグの固有ＩＤを一括して読み取る工程と、前記複数の物品の数と読み取られた固有ＩＤの数とが一致せず，かつ，読み取られた固有ＩＤが連続している場合に，前記複数の物品のうち最前の整理番号の物品に付された無線タグのみの固有ＩＤを読み取る工程と、前記最前の整理番号の物品に付された無線タグの固有ＩＤが先の一括読み取りで得られた固有ＩＤの最初の番号の前の番号である場合に，こうして得られる連続した固有ＩＤを前記複数の物品の整理番号に順次１対１で関連付けることを特徴とする無線タグを用いた情報管理方法が提供される。
【発明の効果】
【００１２】
本発明によれば、物品の整理番号と物品に付された無線タグの固有ＩＤとを関連付ける情報管理を行う場合に、複数の物品にそれぞれ付された無線タグの固有ＩＤを一括して読み取ることにより、作業時間を短縮させることができる。そして、固有ＩＤの読み取り漏れが発生して、物品数と読み取られた固有ＩＤの数とが一致しない場合には、固有ＩＤの読み取りができなかった無線タグおよびその物品を迅速に発見して、物品の整理番号に無線タグの固有ＩＤを確実に関連付けることができる。
【発明を実施するための最良の形態】
【００１３】
以下、本発明の実施の形態について図面を参照しながら説明する。ここでは、パイプファイルに複数の書類が綴じられており、各書類に無線タグを取り付けて、各書類の整理番号と無線タグの固有ＩＤとを関連付けする場合について説明する。
【００１４】
図１，図２は無線タグを用いた情報管理方法の概略の作業フローを模式的に示す図である。図１は書類への無線タグの取り付け方法を示しており、図２は、書類の整理番号と無線タグの固有ＩＤとの関連付け方法を示している。
【００１５】
図１に示されるように、ファイルバインダ（パイプファイルやリングファイル等の書類を綴じ込んで保管するものをいう）１０にはｎ個の書類Ｄｉ（ｉ＝１，２，・・・，ｎ）が綴じられている。書類Ｄｉには、１頁のみからなるものもあれば、複数頁からなるものもある。書類Ｄｉには個々に整理番号が付されている。その整理番号は、図２に示されるように、‘Ａ−ＢＣ−Ｄ０００１’から始まり、下４桁の数字が異なるものとする。このような整理番号は、例えば、書類Ｄｉの表紙に記載されている。
【００１６】
書類Ｄｉの整理番号は、１頁からなる書類ではその頁に、複数頁からなる書類であっても表紙がない書類ではその１頁目に、記載されている。また、複数の書類Ｄｉは、整理番号を昇順にして、ファイルバインダ１０に綴じられているものとする。「整理番号を昇順にして」とは、ファイルバインダ１０を表側から裏側にめくっていくと整理番号の下４桁の数字が大きくなる順番をいう。整理番号は必ずしも連番である必要はなく、途中に番号の飛んでいる部分があってもよい。また、書類Ｄｉの管理情報（つまり、書類の整理番号とその概略内容等）は、所定のデータベースＤＢ（図２参照）に登録されているものとする。
【００１７】
なお、複数の書類Ｄｉは、整理番号を降順（つまり、ファイルバインダ１０を表側から裏側にめくっていくと整理番号の下４桁の数字が小さくなる順番）にして、ファイルバインダ１０に綴じられていてもよい。
【００１８】
作業者は、このファイルバインダ１０を表側から逐次めくり、整理番号が付されている書類Ｄｉの表紙を見つけて、その表紙の所定位置に無線タグ１４を貼り付ける。通常、無線タグ１４はその固有ＩＤ順にパッケージシート１２に整列貼付されているので、作業者は、無線タグ１４をこの固有ＩＤ順にパッケージシート１２から剥がして、各書類の表紙に貼り付ける。
【００１９】
ここで、書類Ｄｉの表紙の見落としはないものとする。また、無線タグ１４をパッケージシート１２から剥がして書類Ｄｉに貼り付けた時点では、その固有ＩＤを作業者は認識することができないとする。その理由として、例えば、無線タグ１４またはパッケージシート１２に固有ＩＤが印刷されていない、無線タグ１４の粘着面に固有ＩＤが印刷されている、無線タグ１４に固有ＩＤは印刷されているが、その文字が小さいために、貼り付け作業時には固有ＩＤを認識しないことが常である等が挙げられる。
【００２０】
次に、書類Ｄｉの整理番号と無線タグ１４の固有ＩＤとを関連付けるための作業を行う。この作業は、図２に示されているように、コンピュータ（以下「ＰＣ」と記す）とＩＤリーダ１６とを有するコンピュータシステム１８を用いて行う。ＰＣはデータベースＤＢにアクセス自在であり、データベースＤＢに記憶されているデータを表示するためのアプリケーションソフトを備えている。
【００２１】
例えば、ファイルバインダ１０にも整理番号が付されており、このアプリケーションソフトを起動させると、その整理番号を選択するための画面が現れ、これにしたがって、ファイルバインダ１０の整理番号を選択すると、自動的に、ファイルバインダ１０に綴じられた書類Ｄｉの整理番号が表示される。その結果、図２に示すように、下４桁が０００１，０００２，０００４，０００７，・・・００５１，００５２，００５３，・・・，０１０５，０１１０の合計７５個（ｎ＝７５）の書類Ｄｉがファイルバインダ１０に綴じられていることが確認されたものとする。
【００２２】
なお、データベースＤＢに記憶されているデータを表示するためのアプリケーションソフトとしては、作業者が指定する範囲の書類Ｄｉの整理番号であって、データベースＤＢに記憶されているものがＰＣのディスプレイに表示され、作業者がファイルバインダ１０に綴じられた書類Ｄｉの整理番号を確認して選択することで、ｎ（＝７５）個の整理番号を確定させるものであってもよい。
【００２３】
全ての書類Ｄｉはファイルバインダ１０に綴じられたままとなっているので、このファイルバインダ１０をＩＤリーダ１６に載置し、ＰＣから無線タグの固有ＩＤを読み取るための指令を出す。こうして、ファイルバインダ１０に綴じられた書類Ｄｉに貼り付けられた無線タグ１４のＩＤが読み取られ、ＰＣのディスプレイに表示される。この表示を見ることで作業者は初めて固有ＩＤを認識する。ここでは、無線タグ１４の固有ＩＤは、‘０１００−００２１’から始まり、下４桁は昇順番号であったとする。
【００２４】
上述した作業工程から明らかなように、複数の書類Ｄｉの整理番号は昇順となっており、書類Ｄｉに貼り付けられた無線タグ１４の固有ＩＤも昇順番号となっているので、アプリケーションソフトは、読み取った固有ＩＤと書類Ｄｉの整理番号とを１：１で昇順で対応させた関連付けを行い、その結果がＰＣのディスプレイに表示される。全ての無線タグ１４の固有ＩＤが読み取られていれば、全ての書類Ｄｉの各整理番号に各固有ＩＤが関連付けされていることになるので、これで作業は終了する。
【００２５】
これに対して、無線タグ１４の読み取り漏れが発生する場合がある。図２に示されるように、読み取られた固有ＩＤの数が７４個となってしまい、１個の固有ＩＤが不足するという結果が得られた場合には、最後の書類‘Ａ−ＢＣ−Ｄ０１１０’に対応する無線タグ１４がないという表示がＰＣのディスプレイに現れる。この場合には、書類Ｄｉの整理番号と無線タグ１４の固有ＩＤとの関連付けの結果を修正する必要が生じる。
【００２６】
図３に、図２に示した通りに書類Ｄｉの整理番号と無線タグ１４の固有ＩＤとの間に不整合が生じた場合の修正方法を模式的に示す。ここでは、作業者は、固有ＩＤの番号は連番であることはわかっているので、最初に「抜け」が生じている部分をＰＣのディスプレイで探し出す。
【００２７】
図３に示すように、整理番号‘Ａ−ＢＣ−Ｄ００５１’に固有ＩＤ‘０１００−００６２’が、整理番号‘Ａ−ＢＣ−Ｄ００５２’に固有ＩＤ‘０１００−００６４’がそれぞれ割り当てられている部分が発見されたならば、整理番号‘Ａ−ＢＣ−Ｄ００５２’に対応する固有ＩＤは本来‘０１００−００６３’となっていなければならないので、整理番号‘Ａ−ＢＣ−Ｄ００５２’の書類に取り付けられた無線タグの固有ＩＤが読み取られていないことがわかる。
【００２８】
なお、アプリケーションソフトは、読み取った固有ＩＤの抜けを判断し、その抜けに対応する整理番号、つまり上記例では整理番号‘Ａ−ＢＣ−Ｄ００５２’に固有ＩＤを関係付けすることなく「エラー」表示を割り当て、整理番号‘Ａ−ＢＣ−Ｄ００５３’に固有ＩＤ‘０１００−００６４’を割り当てるように構成されていてもよい。このような構成では、読み取り漏れが発生している書類Ｄｉを瞬時に発見することができる。
【００２９】
作業員は、この固有ＩＤの抜けを確認した後に、ファイルバインダ１０から整理番号‘Ａ−ＢＣ−Ｄ００５２’の書類がバラバラにならないように表紙のみまたは書類一式を取り出して、ＩＤリーダ１６に載置する。アプリケーションソフトは、整理番号‘Ａ−ＢＣ−Ｄ００５２’が選択されて、固有ＩＤの修正や変更を行うためのコマンドが実行されると、ＩＤリーダ１６で読み取った固有ＩＤを選択された整理番号に割り当てる挿入操作を行い、挿入箇所以降の固有ＩＤを逐次シフトさせる。なお、上述した「エラー」表示がされる場合には、このエラー表示欄に読み取られた固有ＩＤが表示される。このとき、正常な固有ＩＤ‘０１００−００６３’が読み取られたならば、図２の正常終了と同じ画面が表示されて、作業は終了する。
【００３０】
これに対して、無線タグ自体の不良等の原因によって、整理番号‘Ａ−ＢＣ−Ｄ００５２’の書類に付された無線タグの固有ＩＤを読み取ることができない場合には、作業者はその無線タグを取り外して、新たな別の無線タグを貼り付ける。ＰＣでファイルバインダ１０に残っている書類の整理番号と各書類に貼り付けられた無線タグの固有ＩＤとを関係付けし、その後、整理番号‘Ａ−ＢＣ−Ｄ００５２’の書類に新たに貼り付けられた無線タグの固有ＩＤをＩＤリーダ１６で読み取り、その固有ＩＤ（図３では、“０１００−００９６”とする）を整理番号‘Ａ−ＢＣ−Ｄ００５２’と関連付ける。その後、作業員はこの整理番号‘Ａ−ＢＣ−Ｄ００５２’の表紙をファイルバインダ１０の所定位置に戻して、作業は終了する。
【００３１】
固有ＩＤの番号に「抜け」が生じておらず、連番となっているにもかかわらず、無線タグ１４の読み取り漏れが１個発生する場合もある。図４に、この場合の書類Ｄｉの整理番号と無線タグ１４の固有ＩＤとの間に生じた不整合の修正方法を模式的に示す。
【００３２】
前述したように、無線タグ１４の固有ＩＤは、パッケージシート１２から取り出された時点では不明である。そのため、図４に示すように、ＩＤリーダ１６によって読み取られた無線タグ１４の最初の固有ＩＤが‘０１００−００２２’である場合、それが正しいこともあれば、固有ＩＤ‘０１００−００２１’が読み取られていない場合もある。しかし、いずれの場合でも、最初の書類‘Ａ−ＢＣ−Ｄ０００１’と最後の書類‘Ａ−ＢＣ−Ｄ０１１０’にそれぞれ付された無線タグのいずれか一方が読み取られていないということは確かである。
【００３３】
そこで、作業者は、最初の書類‘Ａ−ＢＣ−Ｄ０００１’の表紙をファイルバインダ１０から取り出し、これに付された無線タグの固有ＩＤを読み取る。その結果が、書類‘Ａ−ＢＣ−Ｄ０００１’に先に関連付けされた固有ＩＤ‘０１００−０００２’と同じならば、最後の書類‘Ａ−ＢＣ−Ｄ０１１０’貼り付けられた無線タグの固有ＩＤが読み取られていないことがわかる。作業者は、最後の書類‘Ａ−ＢＣ−Ｄ０１１０’の表紙をファイルバインダ１０から取り出し、それに付された無線タグの固有ＩＤを読み取ると、固有ＩＤ‘０１００−００９６’が読み取られる筈であるから、この結果が得られたら、この固有ＩＤ‘０１００−００９６’が整理番号‘Ａ−ＢＣ−Ｄ０１１０’と関連付けされ、作業は終了する。
【００３４】
一方、最初の書類‘Ａ−ＢＣ−Ｄ０００１’に付された無線タグの固有ＩＤを読み取った結果、その固有ＩＤが‘０１００−００２１’であったならば、この最初の書類‘Ａ−ＢＣ−Ｄ０００１’に付された無線タグの固有ＩＤが読み取られていなかったことを作業者は確認することができる。こうして、各書類に固有ＩＤ‘０１００−００２１〜００９５’がそれぞれ関連付けされることになる。
【００３５】
なお、図４の説明では、最初の書類‘Ａ−ＢＣ−Ｄ０００１’の無線タグの固有ＩＤの読み取りを先に行ったが、最後の書類‘Ａ−ＢＣ−Ｄ０１１０’の無線タグの固有ＩＤの読み取りを先に行っても、同様の結果が得られる。
【００３６】
上記説明は、ＩＤリーダ１６による固有ＩＤの読み取り漏れが１カ所の場合であるが、ＩＤリーダ１６によって読み取られた固有ＩＤの番号に２カ所の抜けがあって、かつ、固有ＩＤの数が書類の数よりも２つ少ない場合には、最初と最後の書類以外の２つの書類に貼り付けられた無線タグの固有ＩＤが読み取られていないことがわかる。
【００３７】
また、ＩＤリーダ１６によって読み取られた固有ＩＤの番号に１カ所の抜けしかないにもかかわらず、固有ＩＤの数が書類の数よりも２つ少ない場合には、最初と最後の書類のいずれか一方と、最初と最後の書類以外の１つ書類に貼り付けられた無線タグの固有ＩＤが読み取られていないことがわかる。
【００３８】
さらに、ＩＤリーダ１６によって読み取られた固有ＩＤの番号に抜けがないにもかかわらず、固有ＩＤの数が書類の数よりも２つ少ない場合には、最初と最後の書類の両方の書類に貼り付けられた無線タグの固有ＩＤが読み取られていないことがわかる。
【００３９】
このような場合でも、上記対処法を適用すれば、全ての書類Ｄｉの整理番号と無線タグ１４の固有ＩＤとの関連付けを行うことができることは言うまでもない。さらに、ＩＤリーダ１６によって読み取られた固有ＩＤの番号が３個以上不足している場合も、前記２個の固有ＩＤが不足している場合と同様に考えることができる。
【００４０】
上述の通りにして書類Ｄｉの整理番号と無線タグ１４の固有ＩＤとが関連付けされたファイルバインダ１０に対して、書類の差替（変更）を行う場合には、差替書類に無線タグを貼り付け、ＰＣで差替書類の整理番号を呼び出し、ＩＤリーダ１６でその固有ＩＤを読み取る。ＰＣで以下に記す処理を行うためのアプリケーションソフトを起動しその処理を実行する。すなわち、この処理では、ファイルバインダ１０に綴じられた書類Ｄｉの整理番号および関連付けされた固有ＩＤを呼び出し、差替書類との差替を行う１個の書類を削除するとともに、その書類の位置に差替書類Ｃの整理番号と固有ＩＤとを挿入する。そして、作業者は、実際にファイルバインダ１０での書類差替を行う。
【００４１】
差替書類が複数ある場合には、書類ごとにこの作業を行ってもよい。また、無線タグの固有ＩＤのＩＤリーダ１６による読み取りは複数の差替書類について一括して行ってもよい。さらに、ファイルバインダ１０から削除された書類に貼り付けられた無線タグ１４の固有ＩＤをＩＤリーダで読み取って、これらのその後の処理（例えば、廃棄等）を管理することも好ましい。
【００４２】
なお、ファイルバインダ１０に新たな書類を挿入（追加）する処理は、上記差替処理において書類の削除を行わない場合と考えることができるので、上記差替処理と同様に、ＰＣとファイルバインダ１０とで所定位置に追加書類を追加すればよい。
【００４３】
また、通常であればファイルに綴じられている筈の書類が一時的に取り出されているときに、そのファイルに綴じられた書類に無線タグを取り付けなければならない場合がある。作業者は、データベースＤＢからファイルバインダ１０の書類情報を読み出した際の書類数と貼り付けた無線タグ数との不一致、または、各書類に無線タグを取り付けて固有ＩＤを読み取った結果、読み取り漏れがなく、かつ、固有ＩＤが不足していることのいずれか一方を認識することで、不在ファイルの存在を認識する。このような不在ファイルがある場合、例えば、ダミーの書類を準備してこれに無線タグを取り付けてファイルの書類情報を整理し、後に、上記書類差替の手法を用いて、ダミー書類を不在書類と差し替えればよい。
【００４４】
以上、本発明の実施の形態について説明したが、本発明はこのような形態に限定されるものではなく、種々の変形が可能であることが理解されるべきである。
【００４５】
例えば、図２で、ファイルバインダ１０に綴じられた書類Ｄｉの整理番号およびその数（ｎ）が表示されたら、この書類Ｄｉの数（ｎ＝７５）は、パッケージシート１２から剥がされた無線タグ１４の数と等しくなる筈である。したがって、この時点で、パッケージシート１２から剥がされた無線タグ１４の数が７５個未満である場合には、作業者は書類Ｄｉの検出ミスを認識することができる。
【００４６】
または、ＩＤリーダ１６によって読み取られた無線タグ１４の固有ＩＤに不連続部分がなく、かつ、最初の書類および最後の書類にそれぞれ貼り付けられた無線タグの固有ＩＤの読み取り直しを行っても、読み取られた固有ＩＤが先の読み取り結果と異ならない場合に、作業者は書類Ｄｉの検出ミスを認識することができる。
【００４７】
このような場合の処理方法としては、先ず、作業者はファイルバインダ１０を再検査して、無線タグ１４が貼り付けられていない書類を見つけ出す。次に、作業者は、その書類をファイルバインダ１０から取り出し、ファイルバインダ１０から取り出した書類の整理番号には固有ＩＤが関係付けされないように、ファイルバインダ１０に残っている書類Ｄｉの整理番号と無線タグの固有ＩＤとの関連付けを行う。続いて、ファイルバインダ１０から取り出した書類について、その整理番号と無線タグの固有ＩＤとの関連付けを行い、その後、その書類をファイルバインダ１０に戻せばよい。
【００４８】
上記説明においてはファイルバインダに綴じられた複数の書類にそれぞれ無線タグを貼り付けた場合について説明したが、無線タグを取り付ける対象は、このような書類に限定されるものではなく、広く、物品（工業製品、農産物、食料加工品等）であればよい。また、このような物品に無線タグを貼り付ける作業は機械が行うものでも構わない。
【図面の簡単な説明】
【００４９】
【図１】無線タグを用いた情報管理方法の概略作業フローを模式的に示す図。
【図２】図１に示す作業フローに続く作業フローを模式的に示す図。
【図３】書類の整理番号と無線タグの固有ＩＤとの間に不整合が生じた場合の修正方法を模式的に示す図。
【図４】書類の整理番号と無線タグの固有ＩＤとの間に不整合が生じた場合の別の修正方法を模式的に示す図。
【図５】無線タグを用いた従来の物品管理方法の一例を示す図。
【符号の説明】
【００５０】
１０…ファイルバインダ、１２…パッケージシート、１４…無線タグ、１６…ＩＤリーダ、１８…コンピュータシステム、９０…ファイルバインダ、９１…書類、９２…無線タグ、９３…パッケージシート、９４…パーソナルコンピュータ、９５…ＩＤリーダ、ＰＣ…パーソナルコンピュータ、ＤＢ…データベース。
【図１】
2007217169.tif 000003
【図２】
2007217169.tif 000004
【図３】
2007217169.tif 000005
【図４】
2007217169.tif 000006
【図５】
2007217169.tif 000007